(57)【要約】【課題】平面らせん形の蛍光ランプを用いて、小型化を図るとともにインバータの温度設計が容易になる照明器具を提供する。【解決手段】両端に口金２２を有し面発光する平面らせん形の蛍光ランプ２０を用いることにより、同じ長さの発光管を有する環状の蛍光灯に比して蛍光ランプ２０の小型化を図ることができるとともに一様な平面光を得ることができる。また、蛍光ランプ２０の外側に高さが高い第１収容部３３を形成して、インバータ３０の部品で高さが高く発熱量が大きな電気部品３５を配置したので、インバータ３０の発熱を抑えることができるとともに、照明器具１０の薄型化を図ることができる。なお、高さが低い部品は、蛍光ランプ２０と対面する領域に設けられた第２収容部３４に収容する。【選択図】図１
2010129219.tif 000002
【特許請求の範囲】
【請求項１】
管中央部を中心として略一平面において渦巻状に旋回する発光管と、前記発光管の両端部にそれぞれ設けられた一対の口金と、前記口金から前記発光管に平行に設けられた一対のランプピンと、を有する蛍光ランプと、
前記ランプピンと電気的に接続されて電力を供給する一対のランプソケットと、
前記ランプソケットに電力を供給するインバータと、
前記インバータを覆うインバータケースと、を有し、
前記インバータケースには、前記蛍光ランプの外側に位置する領域に高さが高い第１収容部を形成し、前記蛍光ランプに対向する領域に高さが低い第２収容部を形成し、
前記第１収容部に、高さが高く発熱量が大きな電気部品を配置したことを特徴とする照明器具。
【請求項２】
前記第１収容部に前記インバータのトランスを収容したことを特徴とする請求項１記載の照明器具。
【請求項３】
前記インバータを前記器具本体に取り付ける取付部材が、前記インバータケースの高さに沿って環状に形成されていることを特徴とする請求項１または２記載の照明器具。
【請求項４】
前記照明器具がリモコン式の場合には、リモコン信号受信部を前記第１収容部の外側に設けることを特徴とする請求項１ないし請求項３のいずれかに記載の照明器具。
【請求項５】
前記リモコン信号受信部は、前記ランプソケットに対して径方向外側に設けることを特徴とする請求項４に記載の照明器具。
【発明の詳細な説明】
【技術分野】
【０００１】
本発明は、管中央部を中心として略一平面において渦巻状に旋回する発光管を有する平面らせん形の蛍光ランプを用いた照明器具に関するものである。
【背景技術】
【０００２】
従来より、平面らせん形の蛍光ランプを用いた照明器具が提案されている（例えば特許文献１参照）。
図５に示すように、特許文献１に記載の照明器具１００は、発光管が管中間部を中心として略一平面を渦巻状に旋回した平面らせん形の蛍光ランプ１０１を、矩形薄箱状の器具本体１０２に収容し、器具本体１０２の前面に配光用パネル１０３を取り付けて、蛍光ランプ１０１の前方を覆っている。
器具本体１０２には、点灯装置であるインバータ１０４、電源供給用の端子台１０５、一対のランプソケット１０６等が取り付けられており、一対のランプソケット１０６に蛍光ランプ１０１が装着される。
【特許文献１】特開２００８−２０４７３２号公報（第１図）
【発明の開示】
【発明が解決しようとする課題】
【０００３】
しかしながら、上述した従来の照明器具１００においては、インバータ１０４等の電気部品が、器具本体１０２における平面らせん形の蛍光ランプ１０１の外側に配置されているので、器具本体１０２が大型化して照明器具１００が厚くなるという問題があった。
また、平面らせん形の蛍光ランプ１０１には、環状の蛍光ランプのように内部に空間がないため、インバータ１０４等の電気部品を蛍光ランプ１０１の下側に配置すると、平面形状は小型化されるが、蛍光ランプの発熱がインバータに直接影響するため、インバータの温度設計が困難になるという問題があった。
【０００４】
本発明は、従来の問題を解決するためになされたもので、平面らせん形の蛍光ランプを用いて、薄型化を図るとともにインバータの温度設計が容易になる照明器具を提供することを目的とする。
【課題を解決するための手段】
【０００５】
本発明の照明器具は、管中央部を中心として略一平面において渦巻状に旋回する発光管と、前記発光管の両端部にそれぞれ設けられた一対の口金と、前記口金から前記発光管に平行に設けられた一対のランプピンと、を有する蛍光ランプと、前記ランプピンと電気的に接続されて電力を供給する一対のランプソケットと、前記ランプソケットに電力を供給するインバータと、前記インバータを覆うインバータケースと、を有し、前記インバータケースには、前記蛍光ランプの外側に位置する領域に高さが高い第１収容部を形成し、前記蛍光ランプに対向する領域に高さが低い第２収容部を形成し、前記第１収容部に、高さが高く発熱量が大きな電気部品を配置した構成を有している。
【０００６】
この構成により、蛍光ランプの外側に高さが高い第１収容部を形成して、インバータの部品で高さが高く発熱量が大きな電気部品を配置したので、インバータの発熱を抑えることができ、インバータの温度設計が容易になるとともに、照明器具の薄型化を図ることができる。なお、高さが低い部品は、蛍光ランプと対面する領域に設けられた第２収容部に収容する。
【０００７】
また、本発明の照明器具は、前記第１収容部に前記インバータのトランスを収容した構成を有している。
【０００８】
この構成により、背が高く、発熱量が大きなトランスを、第１収容部に収容したので、蛍光ランプに対面する領域に設けられる第２収容部に低い部品を収容することにより第２収容部の高さを薄くすることができ、照明器具の小型化を図ることができる。
【０００９】
さらに、本発明の照明器具は、前記インバータを前記器具本体に取り付ける取付部材が、前記インバータケースの高さに沿って環状に形成されている構成を有している。
【００１０】
この構成により、蛍光ランプからの光の配光を均一にすることができる。
【００１１】
また、本発明の照明器具は、前記照明器具がリモコン式の場合には、リモコン信号受信部を前記第１収容部の外側に設けた構成を有している。
【００１２】
この構成により、リモコン信号受信部を高さが高い第１収容部の外側に設けたので、蛍光ランプからの直接光によるノイズを入りにくくすることができる。
【００１３】
さらに、本発明の照明器具は、前記リモコン信号受信部は、前記ランプソケットに対して径方向外側に設けた構成を有している。
【００１４】
この構成により、リモコン信号受信部はランプソケットの陰に隠れることになるので、蛍光ランプからの直接光によるノイズが入りにくくなる。
【発明の効果】
【００１５】
本発明は、蛍光ランプの外側に高さが高い第１収容部を形成して、インバータの部品で高さが高く発熱量が大きな電気部品を配置したので、インバータの発熱を抑えることができ、インバータの温度設計が容易になるとともに、照明器具の薄型化を図ることができるという効果を有する照明器具を提供することができるものである。
【発明を実施するための最良の形態】
【００１６】
以下、本発明の実施の形態の照明器具について、図面を用いて説明する。
図１（ａ）は本発明の実施形態にかかる照明器具を示す平面図、図１（ｂ）は側面図、図２はインバータ基板における部品の配置を示す平面図、図３は器具本体におけるインバータの配置を示す平面図、図４は器具本体におけるリモコン信号受信部の配置を示す平面図である。
【００１７】
図１に示すように、本発明の実施形態にかかる照明器具１０は、天井等に取り付けて使用するものである。照明器具１０は、円板状の器具本体１１に、装着された蛍光ランプ２０に電力を供給する一対のランプソケット１２と、ランプソケット１２に電力を供給するインバータ３０と、インバータ３０を覆うインバータケース３１とが設けられており、器具本体１１には蛍光ランプ２０等を内包する光透過性のカバー１３が着脱可能に取り付けられている。
【００１８】
蛍光ランプ２０は、一連の屈曲ガラス管からなる発光管２１が、管中央部２１１を中心として略一平面上で渦巻状に旋回された二重渦巻き形状となっている。発光管２１の両端部には口金２２が設けられており、口金２２には上下一対のランプピン２３，２３が、突出して設けられている。このランプピン２３をランプソケット１２に装着することにより、駆動電力を得ることができる。両口金２２、２２間には、発光管２１を保持するブリッジ２４が設けられている。
【００１９】
このような平面らせん形の蛍光ランプ２０は面状に発光するので、一重あるいは二重の環状の蛍光ランプと比較して中央部まで一様な光を得ることができる。また、同じ長さの発光管を有する環状の蛍光ランプと比較して、小型化を図ることができる。
【００２０】
図２に示すように、インバータ３０は、インバータ基板３２に電気部品を実装して形成され、インバータケース３１により覆われている。
【００２１】
図３に示すように、インバータ３０は、器具本体１１において蛍光ランプ２０に対面する領域から、蛍光ランプ２０の外側の領域にかけて配置される。インバータケース３１は、高さが発光管２１の下端よりも高い第１収容部３３と、高さが発光管２１の下端よりも低い第２収容部３４とを有しており、第１収容部３３は蛍光ランプ２０の外側の領域に配置され、第２収容部３４は蛍光ランプ２０に対向する領域に配置されている。
【００２２】
第１収容部３３は、発光管２１の上端あるいは上端よりも高く形成することも可能であるが、蛍光ランプ２０からの配光を均一にするため、同じ高さで蛍光ランプ２０を囲うように環状に形成する。インバータケース３１を器具本体１１に取り付けることによりインバータ３０を取り付けることが考えられるが、別途取付金具を用いて取り付ける場合には、取付部材をインバータケース３１の高さに沿って環状に形成する。
【００２３】
第１収容部３３には、例えば、トランス３５のような高さが高く発熱量が大きな電気部品を収容する。また、高さが低い部品３６は、蛍光ランプ２０と対面する領域に設けられた第２収容部３４に収容する。
【００２４】
図４に示すように、照明器具１０がリモコン式の場合には、リモコン信号受信部４１を第１収容部３３の外側に設ける。さらに、リモコン信号受信部４１は、ランプソケット１２に対して径方向外側に設ける。
【００２５】
以上、説明した本発明の実施形態にかかる照明器具１０によれば、両端に口金２２を有し面発光する平面らせん形の蛍光ランプ２０を用いることにより、同じ長さの発光管を有する環状の蛍光灯に比して蛍光ランプの小型化を図ることができるとともに一様な平面光を得ることができる。
また、蛍光ランプ２０の外側に高さが高い第１収容部３３を形成して、インバータ３０の部品で高さが高く発熱量が大きなトランス３５を配置し、低い部品３６を蛍光ランプ２０に対面する第２収容部３４に収容したので、インバータ３０の発熱を抑えることができ、インバータの温度設計が容易になるとともに、照明器具１０の薄型化および外径寸法の小型化を図ることができる。
【００２６】
また、インバータ３０を器具本体１１に取り付ける取付部材を、インバータケース３１の高さに沿って環状に形成するので、蛍光ランプ２０からの光の配光を均一にすることができる。
【００２７】
また、リモコン信号受信部４１を高さが高い第１収容部３３の外側に設けたので、蛍光ランプ２０からの直接光によるノイズを入りにくくすることができる。
【００２８】
さらに、リモコン信号受信部４１を、ランプソケット１２に対して径方向外側に設けたので、リモコン信号受信部４１はランプソケット１２の陰に隠れることになり、蛍光ランプ２０からの直接光によるノイズが入りにくくなる。
【００２９】
なお、本発明の照明器具は、前述した実施形態に限定されるものでなく、適宜な変形，改良等が可能である。
【図面の簡単な説明】
【００３０】
【図１】（ａ）は本発明の実施形態にかかる照明器具を示す平面図、（ｂ）は（ａ）中Ｂ方向から見た側面図
【図２】インバータ基板における部品の配置を示す平面図
【図３】器具本体におけるインバータの配置を示す平面図
【図４】器具本体におけるリモコン信号受信部の配置を示す平面図
【図５】従来の照明器具を示し、（ａ）は正面図、（ｂ）は平面図、（ｃ）は側面図
【符号の説明】
【００３１】
１０  照明器具
１２  ランプソケット
２０  蛍光ランプ
２１  発光管
２１１  管中央部
２２  口金
２３  ランプピン
３０  インバータ
３１  インバータケース
３３  第１収容部
３４  第２収容部
３５  トランス（電気部品）
４１  リモコン信号受信部
【図１】
2010129219.tif 000003
【図２】
2010129219.tif 000004
【図３】
2010129219.tif 000005
【図４】
2010129219.tif 000006
【図５】
2010129219.tif 000007